(57)【要約】【課題】  ユーザが複数のコンテンツをダビング対象として選択して、コピーや移動（ムーブ）といったダビングしようとする場合に、ダビング失敗となる事態を未然に回避する。【解決手段】  コンテンツ２３を記録する記録媒体１４と、ユーザにより選択された複数のコンテンツを他の記録媒体４，５に記録を行なう記録制御部１３を備え、記録制御部１３は、ユーザにより選択された各々のコンテンツを特定する情報を記憶するコンテンツ情報記憶部１７と、コンテンツを選択する毎にコンテンツ情報記憶部１７に記憶された各々のコンテンツのコピー制限情報に基づいてコピー又は移動の可否を判定する記録判断部１６と、を有する。【選択図】  図２
2014130652.tif 000002
【特許請求の範囲】
【請求項１】
コンテンツを記録する記録媒体と、
ユーザにより選択された複数のコンテンツを他の記録媒体に記録を行なう記録制御部を備え、
前記記録制御部は、ユーザにより選択された各々のコンテンツを特定する情報を記憶するコンテンツ情報記憶部と、
コンテンツを選択する毎に前記コンテンツ情報記憶部に記憶された各々のコンテンツのコピー制限情報に基づいてコピー又は移動の可否を判定する記録判断部と、
を有することを特徴とする記録再生装置。
【請求項２】
前記記録制御部は、コピー又は移動を行なった際に前記コピー制限情報のコピー回数の管理を行なう制限管理部を有することを特徴とする請求項１に記載の記録再生装置。
【請求項３】
前記記録判断部は、前記各々のコンテンツのコピー制限情報に基づいてコピー又は移動の可否を判定した結果をユーザに対して出力することを特徴とする請求項１又は請求項２に記載の記録再生装置。
【請求項４】
前記記録制御部は、前記記録判断部の判定結果により記録が可能と判定されたコンテンツを前記他の記録媒体に記録することを特徴とする請求項１乃至請求項３のいずれか１項に記載の記録再生装置。
【発明の詳細な説明】
【技術分野】
【０００１】
本発明は、コピー制限情報が設定されている複数のコンテンツを一括して選択してコピー又は移動（ムーブ）の処理を行なう場合のユーザ操作を支援する技術に関する。
【背景技術】
【０００２】
デジタル放送の普及により、高画質なコンテンツを記録媒体に記録し、時間をおいて視聴し、或いは、他の記録媒体へダビングするといった利用がなされている。
その一方で、コンテンツの著作権保護を図るために、コンテンツにはコピーやムーブといったダビングを制限するコピー制限情報を設定した方式が実施されている。
【０００３】
例えば、「ダビング１０」と称せられる方式では、レコーダ・プレイヤといったテレビ放送記録再生装置がハードディスク（ＨＤＤ）に記録（１世代コピー）したデジタル放送コンテンツについて、他の記録媒体（例えば、ＨＤＤ、ＢＲやＤＶＤ等のディスク）へのダビング（２世代コピー）は、コピーによるダビングが９回まで可能であり、１０回目のダビングを行なうと元の記録媒体（ＨＤＤ）からコンテンツが消去される。すなわち、１０回目のダビングはムーブとなるが、コピーとムーブとを合わせて１０回のダビングが可能である。
このようなダビングの制限はコピー制限情報に基づいて行なわれ、「ダビング１０」では、コピー制限情報にはコピー可能な回数が初期値として「１０」に規定され、ダビングがなされる毎に当該回数が減算される。
【０００４】
特許文献１には、コピー禁止コンテンツも記録してしまい、記録後にコピー制御情報に対応することでユーザの希望する操作を容易に行えるようにするため、ユーザが記録時や再生時や編集時やあるいはダビング時における各部の動作をあらかじめ設定し、放送コンテンツのコピー制御情報の変化点にチャプターマークを付加し記録媒体に記録することにより、チャプターマークとコピー制御情報を用い、ユーザーの設定に従ってコンテンツを記録／再生／削除／編集／ムーブ等させることが可能となる映像記録再生装置が記載されている。
【０００５】
特許文献２には、元のコンテンツを他の記録媒体へ複数回コピーするダビング操作を受けると、ユーザに対して、コピー可能な個数、選択可能な操作（コピーとムーブ、またはムーブのみ）、コピー先として選択可能な記録媒体、記録媒体によるムーブ種別（複数個コピーに対応していてムーブ可能、複数個コピーに対応していないがムーブ可能、またはムーブ不可能）の違い、などの情報をユーザに提示しながら操作を行わせる構成としたダビング装置が記載されている。
【０００６】
特許文献３には、ダビング元のコンテンツの状況（コピー制御情報等）とダビング先記録媒体の状況（媒体の種類等）に応じた方法（無劣化ダビング／画質変換ダビング、コピー／移動等）が自動判定され、この判定結果に基づいてダビング方法が自動的に指定され、１つ以上のコンテンツがダビングされるダビング装置が記載されている。
【先行技術文献】
【特許文献】
【０００７】
【特許文献１】特開２００６−１７９１４９号公報
【特許文献２】特開２００９−１６００２号公報
【特許文献３】特開２００６−３２３８９０号公報
【発明の概要】
【発明が解決しようとする課題】
【０００８】
ユーザが複数のコンテンツをダビング対象として一括して選択し、これらコンテンツを他の記録媒体へダビングしようとする場合、ダビング処理を実行している途中で、コピー制限情報によりダビング処理が実行できない事態になることが生ずる。
例えば、選択された複数のコンテンツの内にコピー可能回数が“０”となっているコンテンツが含まれている場合、同じコンテンツを複数回選択して当該コンテンツのダビング処理を繰り返しているうちにコピー可能回数が“０”となってしまった場合、などである。
【０００９】
このようにダビング処理が途中で実行できない状態になってしまうと、ダビングの失敗により、ユーザはコンテンツの選択操作から再度の操作を繰り返さなければならず煩雑であるとともに、意図するコンテンツのダビング成功までに長時間を要してしまうことになる。また、ダビング先の他の記録媒体が再書込みできないディスクである場合には、ダビングの失敗により記録媒体を無駄にしてしまうことにもなる。
【００１０】
本発明は、上記従来の事情に鑑みなされたものであり、ユーザ操作を支援することにより、ユーザが複数のコンテンツをダビング対象として選択してダビングしようとする場合の不都合を解消することを目的としている。
【課題を解決するための手段】
【００１１】
本発明は、コンテンツを記録する記録媒体と、ユーザにより選択された複数のコンテンツを他の記録媒体に記録を行なう記録制御部を備え、前記記録制御部は、ユーザにより選択された各々のコンテンツを特定する情報を記憶するコンテンツ情報記憶部と、コンテンツを選択する毎に前記コンテンツ情報記憶部に記憶された各々のコンテンツのコピー制限情報に基づいてコピー又は移動の可否を判定する記録判断部と、を有する記録再生装置である。
【００１２】
なお、本発明は、前記記録制御部が、コピー又は移動を行なった際に前記コピー制限情報のコピー回数の管理を行なう制限管理部を有するようにしてもよい。
また、本発明は、前記記録制御部が、前記記録判断部の判定結果により記録が可能と判定されたコンテンツを前記他の記録媒体に記録するようにしてもよい。
【００１３】
本発明では、ユーザが複数のコンテンツを選択してコピー又は移動しようとする場合、これらコンテンツを選択する毎に、コピー又は移動の可否が判定される。したがって、選択したコンテンツにコピー制限情報に基づいてコピー又は移動が不可なコンテンツが含まれていても、コピー又は移動を失敗する事態を未然に回避することができる。
【００１４】
また、本発明は、前記記録判断部が、前記各々のコンテンツのコピー制限情報に基づいてコピー又は移動の可否を判定した結果をユーザに対して出力するようにしてもよい。
これにより、ユーザが複数のコンテンツを選択してコピー又は移動しようとする場合、これらコンテンツについて処理を実行する前に、コピー又は移動の可否判定結果がユーザに報知される。したがって、選択したコンテンツにコピー制限情報に基づいてコピー又は移動不可なコンテンツが含まれていても、事前にユーザに報知されるので、コピー又は移動を失敗する事態を未然に回避することができる。
【００１５】
ここで、本発明では、上記の可否判定の結果を、コンテンツについて判定する毎に出力してもよく、或いは、選択された全てのコンテンツについて判定した後に出力してもよく、使い勝手などの要請に応じて種々な態様に設定すればよい。
また、本発明では、上記の可否判定の結果を、典型例としては画面に表示出力するが、ランプの点灯や警報音の出力など、ユーザが判定結果を認知できる方法であれば種々な態様を採用することができる。
また、上記の可否判定がなされるコンテンツの特定情報は、ユーザが操作部からコンテンツ情報記憶部へ逐一入力する方法、或いは、予めユーザが選択した複数のコンテンツの特定情報をユーザ操作に応じてコンテンツ情報記憶部へ一括して入力する方法など、種々な態様を採用することができる。
【００１６】
本発明は、コンテンツを構成する部分コンテンツを複数含んだ複数のプレイリストについても適用することができ、これら複数のプレイリストについてコピーや移動（ムーブ）と言ったダビング処理を実行する際に、ダビング可否の判定をし、更には判定結果をユーザに報知することができる。
【００１７】
すなわち、本発明は、コンテンツを構成する部分コンテンツを複数含んだ複数のプレイリストを受け付け、前記コンテンツ情報記憶部は、ユーザによりダビング対象として選択された複数のプレイリストに含まれる部分コンテンツの特定情報を保持し、前記記録判断部は、前記コンテンツ情報記憶部に保持された特定情報に該当する複数の部分コンテンツについて、ダビング処理を実行する際に、当該部分コンテンツが構成するコンテンツの前記コピー制限情報に基づいてダビングの可否を判定し、当該複数のプレイリストに対する判定をして、更には判定結果をユーザに対して出力するようにすることができる。
【００１８】
更に、本発明は、前記記録判断部は、前記操作部からユーザにより選択された複数のプレイリストについて順次対応するコンテンツのコピー制限情報に基づいてダビングの可否を判定し、当該複数のプレイリストに対する判定結果をユーザに対して画面表示出力し、また、ユーザ入力に応じて、前記複数のプレイリストに対する判定順序を並び替えて、当該並び替えた複数のプレイリストについて順次対応するコンテンツのコピー制限情報に基づいてダビングの可否を判定し、当該複数のプレイリストに対する判定結果をユーザに対して画面表示出力するようにすることができる。
このような並び替えにより、限られたコピー可能回数の中で、ユーザの希望に応じたプレイリストをダビング処理することができる。
【００１９】
本発明は、コピー可能な回数を規定するコピー制限情報が設定されたコンテンツを記録媒体に記録し、当該コンテンツをコピー制限情報に基づいて他の記録媒体にダビングするダビング機能を備えたテレビ放送記録再生装置として構成することができる。
ここで、記録制御部、記録判断部等といった本発明に係る諸機能は、それぞれハードウエア回路により構成することもできるが、コンピュータハードウエアにより所定のプログラムを実行することにより構成することもできる。
【発明の効果】
【００２０】
本発明によると、ユーザが複数のコンテンツをダビング対象として選択してコピー又は移動しようとする場合に、ダビング失敗となる事態を未然に回避することができる。
【図面の簡単な説明】
【００２１】
【図１】本発明の一実施形態に係るテレビジョン受信装置及びテレビ放送記録再生装置を示す図である。
【図２】本発明の一実施形態に係るテレビ放送記録再生装置の要部の構成図である。
【図３】本発明の一実施形態に係るコンテンツのデータ構成を説明する概念図である。
【図４】本発明の一実施形態に係るダビング設定処理の一例を説明する図である。
【図５】本発明の一実施形態に係る画面表示の一例を示す図である。
【図６】本発明の一実施形態に係る画面表示の一例を示す図である。
【図７】本発明の一実施形態に係るダビング設定処理の他の一例を説明する図である。
【図８】本発明の一実施形態に係る画面表示の一例を示す図である。
【発明を実施するための形態】
【００２２】
図１には、本発明を適用するテレビジョン受信装置１及びテレビ放送記録再生装置３の外観を示してある。
テレビジョン受信装置１は、アンテナによりデジタル放送を受信して、放送番組をスピーカーから音声出力するとともに画面２から映像出力する。
【００２３】
テレビ放送記録再生装置３は、テレビジョン受信装置１に接続されて、テレビジョン受信装置１が受信したデジタル放送或いは自らが受信したデジタル放送を内蔵された記録装置（ハードディスクドライブ：ＨＤＤ）や、外付けされたＨＤＤ４、ＢＬやＤＶＤなどといった記録ディスク５等の記録媒体に再生可能に記録する。
これらテレビジョン受信装置１及びテレビ放送記録再生装置３は、自らが備える操作ボタン等の操作部からユーザ入力を受け付ける他、リモコン６からの信号を受信してユーザ入力を受け付けることができる。
【００２４】
図２には、本実施形態に係るテレビ放送記録再生装置３の構成を示してある。
このテレビ放送記録再生装置３は、ユーザに対する情報を表示出力する画面としてテレビジョン受信装置１の画面２を利用する。
なお、本例は「ダビング１０」方式を例にとって説明するが、コピー可能な回数を規定するコピー制限情報が設定されたコンテンツを、当該コピー制限情報に基づいて記録媒体にダビングする方式であれば、種々な方式に適用することができる。
【００２５】
本例のテレビ放送記録再生装置３は、アンテナ１０から受信したデジタル放送信号を受信処理するチューナ等の受信処理部１１、受信処理した映像信号に基づく映像を画面２に表示する表示処理部１２、受信処理した映像音声信号（放送番組コンテンツ）を記録処理する記録制御部１３、記録制御部１３による制御下で放送番組コンテンツを読出し自在に記録する内蔵ＨＤＤ１４、外付けＨＤＤ４や記録ディスク５といった外部の記憶媒体に対する書込み及び読出しを行なう媒体インタフェース１５を有している。
なお、図２には、テレビ放送記録再生装置３が備える操作ボタンやリモコン操作を受け付ける機能を纏めて、ユーザ操作を受け付ける操作部６として示してある。
【００２６】
記録制御部１３は、操作部６からユーザによりダビング対象として選択された複数の放送番組コンテンツ（後述するプレイリストも含む）についてダビング処理の可否を判定する記録判断部１６を有しており、記録制御部１３は記録判断部１６の判定結果によりダビング可と判定された放送番組コンテンツを内蔵ＨＤＤ１４から記録ディスク５や外付けＨＤＤ４といった他の記録媒体にダビングする。
なお、本例では、放送番組コンテンツをダビングする場合を説明するが、内蔵ＨＤＤ１４に記録された放送番組以外のコンテンツを他の記録媒体にダビングする場合でも、以下に説明すると同様な作用効果が得られる。
【００２７】
記録判断部１６は、操作部６からユーザによりダビング対象として選択された複数の放送番組コンテンツを特定する情報を保持するコンテンツ情報記憶部１７と、ダビング対象の各コンテンツのコピー制限情報を管理する制限管理部１８を有している。
アンテナ１０から受信されて内蔵ＨＤＤ１４や他の記録媒体４、５に記録される各コンテンツは、図３に示すように、映像及び音声信号のコンテンツデータ２３に、コンテンツＩＤ２０やタイトル２１といった各コンテンツを識別して特定する特定情報、各コンテンツに設定されたコピー制限情報２２、などの情報が付加されている。
【００２８】
「ダビング１０」である本例では、コピー制限情報２２には、初期的には最大コピー可能回数“１０”が設定され、ダビングが行なわれる毎に制限管理部１８により“１”ずつ減算される。
内蔵ＨＤＤ１４に記録された各コンテンツは記録制御部１３により読み出されて表示制御部１２を介して画面２に再生表示可能であり、また、内蔵ＨＤＤ１４に記録された各コンテンツを他の記録媒体４、５へダビングしようとする場合には、操作部６からのユーザ操作に応じて、内蔵ＨＤＤ１４に記録された各コンテンツの特定情報（コンテンツＩＤ２０やタイトル２１等）が記録制御部１３により読み出されて表示処理部１２を介して画面２に表示される。
【００２９】
なお、本例では、内蔵ＨＤＤ１４に記録された各コンテンツを他の記録媒体４、５へダビングする場合を説明するが、本発明は、本発明に係る記録再生装置を介して、他の記録媒体４、５間でコンテンツをダビングする場合、他の記録媒体４、５から内蔵ＨＤＤ１４にコンテンツをダビングする場合にも適用することができる。
【００３０】
本例では、画面２に表示されたコンテンツ特定情報等に基づいて、ユーザが操作部６から、ダビング対象とする複数のコンテンツを選択し、また、ダビング元の記録媒体とダビング先の記録媒体とを指定し、ダビング開始の指示を入力すると、記録制御部１３がダビング処理を実行する前に、記録判断部１６により図４に示すようなダビング設定処理がなされる。
【００３１】
このダビング設定処理では、まず、ユーザが指定したダビング元とダビング先の記憶媒体を特定し（ステップＳ１）、ユーザが指定したダビングがコピーであるかムーブ（移動）であるかを判定する（ステップＳ２）。
なお、本例では、内蔵ＨＤＤ１４に記録された複数のコンテンツ（オリジナルコンテンツ）を外部の記録媒体４又は５へダビングする場合を説明する。
【００３２】
ユーザがコピーを指定している場合は、コンテンツ情報記憶部１７に保持されているコンテンツ特定情報に基づいて、ユーザがダビング対象として選択した複数のコンテンツの内の１つを選択し（ステップＳ３）、以下の処理を複数のコンテンツの内の１つずつについて繰り返し行なう。
選択された１つのコンテンツについて、制限管理部１８が当該コンテンツのコピー制限情報２２を確認し、コピー可能回数の残回数が“０”であるか否かを判定する（ステップＳ４）。
【００３３】
コピー可能回数の残回数が“０”である場合には、当該選択したコンテンツはダビングできない状態であるので、この旨を画面２に表示出力してユーザに対して報知する（ステップＳ５）。
例えば、図５に示すように、「ダビングＮＧです」といったダビング不可のメッセージ２４を、当該コンテンツの特定情報２５とともに画面表示して、どのコンテンツがダビングできないかをユーザに報知する。
【００３４】
一方、コピー可能回数の残回数が“０”でなく“１”以上ある場合には（ステップＳ４）、コピー可能であるので、当該コンテンツ（ダビング元のＨＤＤ１４に記録されたオリジナルコンテンツ）のコピー可能回数の残回数を“１”減算する（ステップＳ６）。
そして、この減算後のコピー可能回数の残回数が“０”となるかを判定し（ステップＳ７）、“０”となる場合には、当該コンテンツは「コピー」ではなく「ムーブ」のダビング処理となる旨を画面２に表示する（ステップＳ８）。
例えば、図６に示すように、「ムーブになります」といったユーザの意図に反したダビング処理となる旨のメッセージ２６を、当該コンテンツの特定情報２７とともに画面表示して、どのコンテンツがムーブとなるかをユーザに報知する。
【００３５】
減算後のコピー可能回数の残回数が“０”
でなく“１”以上ある場合（ステップＳ７）、或いは、ダビングできない旨の画面表示を行なった場合（ステップＳ５）、或いは、「ムーブ」となる旨の画面表示を行なった場合（ステップＳ８）には、ユーザがダビング対象として選択した複数のコンテンツの内の全てのコンテンツについて、上記処理（Ｓ４〜Ｓ８）を行なったかを判定し（ステップＳ９）、残りのコンテンツがある場合には（ステップＳ３）、１つずつのコンテンツについて上記処理（Ｓ４〜Ｓ８）を繰り返し行なう。
【００３６】
そして、ダビング対象として選択された複数のコンテンツの内の全てのコンテンツについて、上記処理（Ｓ４〜Ｓ８）が終了すると、ダビング先のコンテンツのコピー制限情報をムーブのみ可能に設定して再コピー不可とし（ステップＳ１０）、当該ダビング設定処理を終了して、記録制御部１３によるダビング処理に移行する。
記録制御部１３は、記録判断部１６によりダビング可（すなわち、ダビング不可でない）と判定されたコンテンツを記録媒体４又は５にダビングする。
【００３７】
このようにダビング対象として選択された複数のコンテンツの内の全てのコンテンツについて、ダビングできないコンテンツやムーブとなってしまうコンテンツをユーザに報知した上で、実際にダビング処理が実行される。
なお、ユーザからの実行確認の入力が操作部６からなされたことを条件に記録制御部１３によりダビング処理を実行することで、上記画面表示に基づくユーザの意思確認をより確実にすることができる。
【００３８】
一方、ユーザがムーブを指定している場合は（ステップＳ２）、コンテンツ情報記憶部１７に保持されているコンテンツ特定情報に基づいて、ユーザがダビング対象として選択した複数のコンテンツの内の１つを選択し（ステップＳ１１）、以下の処理を複数のコンテンツの内の１つずつについて繰り返し行なう。
選択された１つのコンテンツについて、制限管理部１８が当該コンテンツのコピー制限情報２２を確認し、コピー可能回数の残回数が“０”であるか否かを判定する（ステップＳ１２）。
【００３９】
コピー可能回数の残回数が“０”である場合には、当該選択したコンテンツはダビングできない状態であるので、この旨を例えば図５に示すように画面２に表示出力してユーザに対して報知する（ステップＳ１３）。
一方、コピー可能回数の残回数が“０”でなく“１”以上ある場合には（ステップＳ１２）、ムーブ可能であるので、当該コンテンツ（ダビング元のＨＤＤ１４に記録されたオリジナルコンテンツ）のコピー可能回数の残回数を“１”減算する（ステップＳ１４）。
【００４０】
そして、ダビング対象として選択された複数のコンテンツの内の全てのコンテンツについて、上記処理（Ｓ１２〜Ｓ１４）が終了すると（ステップＳ１５）、ムーブ先の記録媒体がディスク５であるかを判定する（ステップＳ１６）。
この結果、ディスク５である場合には、ムーブ先のコンテンツのコピー制限情報をムーブのみ可能に設定して再コピー不可とし（ステップＳ１０）、一方、ディスク５ではなくＨＤＤ４である場合には、ムーブ先のコンテンツのコピー制限情報をムーブ元のコンテンツ（オリジナルコンテンツ）のコピー可能回数に設定し（ステップＳ１７）、当該ダビング設定処理を終了して、記録制御部１３によるダビング処理に移行する。
記録制御部１３は、記録判断部１６によりダビング可（すなわち、ダビング不可でない）と判定されたコンテンツを記録媒体４又は５にムーブする。
【００４１】
このようにダビング対象として選択された複数のコンテンツの内の全てのコンテンツについて、ムーブできないコンテンツをユーザに報知した上で、実際にムーブ処理が実行される。
なお、ユーザからの実行確認の入力が操作部６からなされたことを条件に記録制御部１３によりダビング処理を実行することで、上記画面表示に基づくユーザの意思確認をより確実にすることができる。
【００４２】
図７には、本実施形態の他の例に係るダビング設定処理を示してあり、本例の処理も記録判断部１６によりなされる。
本例は、コンテンツを構成する部分コンテンツを複数含んだ複数のプレイリストをダビング設定するものであり、操作部６からユーザによりダビング対象として複数のプレイリストが入力され、コンテンツ情報記憶部１７には、選択された複数のプレイリスト毎に、各プレイリストに含まれる部分コンテンツの特定情報が保持される。例えば、コンテンツＡが部分コンテンツａ１〜ａ４、コンテンツＢが部分コンテンツｂ１〜ｂ４、コンテンツＣが部分コンテンツｃ１〜ｃ４、コンテンツＤが部分コンテンツｄ１〜ｄ４を含んでいる場合、操作部６からユーザは、これら部分コンテンツを任意に指定して、「ａ１、ｂ２、ｃ１、ｄ４」といったプレイリストをダビング対象として指定選択することができる。
【００４３】
本例は、図４に示した処理をプレイリストに対応して変形したものであり、図７には、図４に示す処理（ステップＳ２）においてコピーが指示された場合の処理を示してある。
なお、コピーが指示された場合の処理は説明を省略するが、図４に示すムーブに係る処理（ステップＳ１１〜Ｓ１７）に対応する処理は、「コンテンツ」を「プレイリスト毎のコンテンツ」と読み替えることにより、以下の説明から理解されるところである。
【００４４】
コピーの指定におけるダビング設定処理では、コンテンツ情報記憶部１７に保持されているプレイリスト及びコンテンツ特定情報に基づいて、ユーザがダビング対象として選択した複数のプレイリストの内の１つを選択し（ステップＳ２１）、以下の処理を複数のプレイリストの内の１つずつについて繰り返し行なう。
選択された１つのプレイリストについて、当該プレイリストに含まれる部分コンテンツの１つを選択し（ステップＳ２２）、制限管理部１８が当該部分コンテンツが含まれるコンテンツのコピー制限情報２２を確認し、コピー可能回数の残回数が“０”であるか否かを判定する（ステップＳ２３）。
【００４５】
コピー可能回数の残回数が“０”でなく“１”以上ある場合には、コピー可能であるので、当該部分コンテンツ（ダビング元のＨＤＤ１４に記録されたオリジナルコンテンツ）のコピー可能回数の残回数を“１”減算し（ステップＳ２４）、選択されたプレイリストの他の部分コンテンツについて上記処理（ステップＳ２２〜Ｓ２４）を繰り返す（ステップＳ２５）。
なお、コピー可能回数の残回数が“０”と判定された部分コンテンツについては、オリジナルコンテンツのコピー可能回数の残回数を減算する処理はスキップされる。
【００４６】
そして、選択された１つのプレイリストについて、それに含まれる全ての部分コンテンツのコピー可否を判断すると、選択された次のプレイリストについて同様に全ての部分コンテンツのコピー可否を判断し、これを選択された全てのプレイリストについて繰り返し行なう（ステップＳ２６）。
したがって、選択された複数のプレイリストについて、コピー可否の判断が選択順位が上位のプレイリストから下位のプレイリストへ順次行なわれ、下位のプレイリストに含まれる部分コンテンツのコピー可能回数の残回数は、上位のプレイリストで減算された少ない数となる。
【００４７】
上記のように選択された全てのプレイリストについてコピー可否の判断が終了すると、当該判断結果を画面２に表示出力する（ステップＳ２７）。
この判断結果の画面表示は、例えば図８（ａ）に示すようになされ、ユーザが選択した順に並べたプレイリスト３０（（１）〜（４）の４つ）、各プレイリスト毎の判断結果３１（コピー可はＯＫ、コピー不可はＮＧ）、各プレイリストの部分コンテンツを含むオリジナルコンテンツ（Ａ〜Ｄ）の判断前のコピー可能回数の残回数３２が表示される。
【００４８】
図８（ａ）に示す例では、最上位のプレイリスト（１）「ａ１、ｂ１、ｃ１、ｄ１」は、部分コンテンツａ１を含むオリジナルコンテンツＡのコピー可能回数の残回数が“２”、部分コンテンツｂ１を含むオリジナルコンテンツＢのコピー可能回数の残回数が“５”、部分コンテンツｃ１を含むオリジナルコンテンツＣのコピー可能回数の残回数が“８”、部分コンテンツｄ１を含むオリジナルコンテンツＤのコピー可能回数の残回数が“４”、であるので、コピー可ＯＫと表示される。
【００４９】
また、第３位のプレイリスト（３）「ｃ１、ａ２、ｄ１、ｂ２」は、部分コンテンツａ２を含むオリジナルコンテンツＡのコピー可能回数の残回数が“０”、部分コンテンツｂ２を含むオリジナルコンテンツＢのコピー可能回数の残回数が“３”、部分コンテンツｃ１を含むオリジナルコンテンツＣのコピー可能回数の残回数が“６”、部分コンテンツｄ１を含むオリジナルコンテンツＤのコピー可能回数の残回数が“２”、であり、部分コンテンツａ２についてコピーができないので、コピー不可ＮＧと表示される。
【００５０】
したがって、ユーザはコピーしようとして選択した複数のプレイリストについて、どのプレイリストがコピー可能であり、どのプレイリストがコピー不可能であるか、更には、これらプレイリストについてのコピー可能残回数を把握することができる。
そして、判断結果の画面には、判断結果に基づいてコピー処理を実行することを指示する「ＯＫ」ボタン３３、プレイリストの順位を並べ替えて上記一連の判断処理（ステップＳ２１〜Ｓ２７）の再実行を指示する「並べ替え」ボタン３４が表示され、ユーザが操作部６によりいずれかのボタンを選択することで指示に応じた処理がなされる。
【００５１】
すなわち、「ＯＫ」ボタン３３が選択された場合には、ダビング先のコンテンツのコピー制限情報をムーブのみ可能に設定して再コピー不可とし（ステップＳ２９）、当該ダビング設定処理を終了して、記録制御部１３によるダビング処理に移行する。
記録制御部１３は、記録判断部１６によりコピー可（すなわち、コピー不可でない）と判定されたプレイリストを記録媒体４又は５にダビングする。
【００５２】
一方、「並べ替え」ボタン３４が選択された場合には、例えば図８（ｂ）に示すような、プレイリストの並び替え操作のための画面が表示され、ユーザが操作部６により、先に判断されたプレイリストの並びを変更して、一連の判断処理（ステップＳ２１〜Ｓ２７）を再実行させることができる。
【００５３】
図８（ｂ）に示す例では、先に判断された順位のプレイリスト３５、各プレイリスト（１）〜（４）毎の判断結果３６、各プレイリストの並べ替え順位を指示入力する欄３７とともに、並び替えたプレイリストについて一連の判断処理（ステップＳ２１〜Ｓ２７）を再実行させる「実行」ボタン３８が表示される。
【００５４】
例えば、ユーザが、先の判断結果でコピー不可となった第２順位のプレイリスト（２）よりコピー不可となった第３順位のプレイリスト（３）の方がダビングしたい場合、欄３７にプレイリスト（１）〜（４）の並び順を変えて（１）（３）（２）（４）と各プレイリストの番号を入力し、「実行」ボタン３８を選択することで、当該（１）（３）（２）（４）の順にコピー可否が判断される。すなわち、図８に示す例では、プレイリスト（３）について、コピー可の判断が得られ、この結果に対して「ＯＫ」ボタン３３を選択することで、コピー処理（ステップＳ２９）がなされる。
【符号の説明】
【００５５】
１：テレビジョン受信装置、  ２：画面、
３：テレビ放送記録再生装置、  ４：外付けＨＤＤ、
５：記録ディスク、  ６：リモコン（操作部）、
１０：アンテナ、  １１：受信処理部、
１２：表示処理部、  １３：記録制御部、
１４：内蔵ＨＤＤ、  １６：記録判断部、
１７：コンテンツ情報記憶部、  １８：制限管理部、
２０：コンテンツＩＤ、  ２１：
タイトル、
２２：コピー制限情報、  ２３：コンテンツデータ、
【図１】
2014130652.tif 000003
【図２】
2014130652.tif 000004
【図３】
2014130652.tif 000005
【図４】
2014130652.tif 000006
【図５】
2014130652.tif 000007
【図６】
2014130652.tif 000008
【図７】
2014130652.tif 000009
【図８】
2014130652.tif 000010